(57)【特許請求の範囲】
【請求項１】
移動体に搭載されるディスプレイ装置において、
モバイルデバイスと通信を行う通信部と、
前記モバイルデバイスで通話が行われると、その通話内容に含まれたキーワードを獲得（ａｃｑｕｉｒｉｎｇ）する制御部と、
前記キーワードに対応する付加情報をディスプレイするディスプレイ部と、を含み、
前記制御部は、
前記キーワードが獲得されると、前記ディスプレイ部の画面を第１領域及び第２領域に区分し、前記第１領域に前記キーワードに関連する付加情報をディスプレイし、前記第２領域に前記通話に関連するコンテンツをディスプレイするように前記ディスプレイ部を制御し、
前記通話が終了すると、前記画面の全領域に前記付加情報をディスプレイするように前記ディスプレイ部を制御し、
前記全領域にディスプレイされた前記付加情報のうち第１付加情報が選択されると、前記画面を前記第１領域及び前記第２領域に区分し、前記第１領域に前記通話が行われる前に前記ディスプレイ部にディスプレイされていたコンテンツをディスプレイし、前記第２領域に前記選択された付加情報に関連するコンテンツをディスプレイし、
前記全領域にディスプレイされた前記付加情報のうち第２付加情報が選択されると、前記第２付加情報に関連する情報及び少なくとも一つのアイコンをディスプレイし、前記少なくとも一つのアイコンが選択されると、前記少なくとも一つのアイコンに対応する機能を実行する
ことを特徴とするディスプレイ装置。
【請求項２】
前記付加情報は前記キーワードに対応する広告情報を含み、
前記通信部は、
広告データベースを保存するサーバ装置で前記キーワードに対応する広告情報を伝送すると、前記伝送された広告情報を前記モバイルデバイスを通して受信し、
前記制御部は、
前記受信された広告情報を前記ディスプレイ部を通してディスプレイする
ことを特徴とする請求項１に記載のディスプレイ装置。
【請求項３】
前記制御部は、
ディスプレイされた前記付加情報が選択されると、前記選択された付加情報に対応されるサービスを提供する
ことを特徴とする請求項１に記載のディスプレイ装置。
【請求項４】
前記付加情報は、
場所情報、連絡先情報、マルチメディアコンテンツ、広告情報のうち少なくとも一つを含み、
前記制御部は、
前記場所情報が選択されると前記場所情報を目的地とする経路案内サービスを提供し、前記連絡先情報が選択されると前記連絡先情報に対する電話接続を行う電話サービスを提供し、前記マルチメディアコンテンツが選択されると前記マルチメディアコンテンツに対する再生サービスを提供し、前記広告情報が選択されると詳細広告情報を含む画面をディスプレイする広告サービスを提供する
ことを特徴とする請求項３に記載のディスプレイ装置。
【請求項５】
保存部を更に含み、
前記制御部は、
サーバ装置、前記モバイルデバイス、前記モバイルデバイスと通話を行う通信相手機器、前記保存部のうち少なくとも一つに保存された情報の中で前記キーワードに対応する前記付加情報を検索する
ことを特徴とする請求項１に記載のディスプレイ装置。
【請求項６】
前記制御部は、
前記通信部を通して前記モバイルデバイスの通話内容が受信されると、前記通話内容から前記キーワードを抽出して獲得し、獲得されたキーワードに基づいて前記付加情報を検索する
ことを特徴とする請求項１に記載のディスプレイ装置。
【請求項７】
モバイルデバイス及びディスプレイ装置を含むサービス提供システムにおいて、
通信相手機器と通話を行うモバイルデバイスと、
前記モバイルデバイスで通話が行われると、前記モバイルデバイスと通信を行い、その通話内容に含まれたキーワードを獲得するディスプレイ装置と、を含み、
前記ディスプレイ装置は、
前記キーワードに対応する付加情報をディスプレイし、
前記キーワードが獲得されると、前記ディスプレイ装置のディスプレイ部の画面を第１領域及び第２領域に区分し、前記第１領域に前記キーワードに関連する付加情報をディスプレイし、前記第２領域に前記通話に関連するコンテンツをディスプレイし、
前記通話が終了すると、前記画面の全領域に前記付加情報をディスプレイし、
前記全領域にディスプレイされた前記付加情報のうち第１付加情報が選択されると、前記画面を前記第１領域及び前記第２領域に区分し、前記第１領域に前記通話が行われる前に前記ディスプレイ部にディスプレイされていたコンテンツをディスプレイし、前記第２領域に前記選択された付加情報に関連するコンテンツをディスプレイし、
前記全領域にディスプレイされた前記付加情報のうち第２付加情報が選択されると、前記第２付加情報に関連する情報及び少なくとも一つのアイコンをディスプレイし、前記少なくとも一つのアイコンが選択されると、前記少なくとも一つのアイコンに対応する機能を実行する
ことを特徴とするサービス提供システム。
【請求項８】
ディスプレイ装置のサービス提供方法において、
モバイルデバイスと通信を行うステップと、
前記モバイルデバイスで通話が行われると、その通話内容に含まれたキーワードを獲得（ａｃｑｕｉｒｉｎｇ）するステップと、
前記キーワードに対応する付加情報をディスプレイするステップと、
前記キーワードが獲得されると、前記ディスプレイ装置のディスプレイ部の画面を第１領域及び第２領域に区分し、前記第１領域に前記キーワードに関連する付加情報をディスプレイし、前記第２領域に前記通話に関連するコンテンツをディスプレイするステップと、
前記通話が終了すると、前記画面の全領域に前記付加情報をディスプレイするステップと、
前記全領域にディスプレイされた前記付加情報のうち第１付加情報が選択されると、前記画面を前記第１領域及び前記第２領域に区分し、前記第１領域に前記通話が行われる前に前記ディスプレイ部にディスプレイされていたコンテンツをディスプレイし、前記第２領域に前記選択された付加情報に関連するコンテンツをディスプレイするステップと、
前記全領域にディスプレイされた前記付加情報のうち第２付加情報が選択されると、前記第２付加情報に関連する情報及び少なくとも一つのアイコンをディスプレイし、前記少なくとも一つのアイコンが選択されると、前記少なくとも一つのアイコンに対応する機能を実行するステップと、を含む
ことを特徴とするディスプレイ装置のサービス提供方法。
【請求項９】
前記付加情報は前記キーワードに対応する広告情報を含み、
広告データベースを保存するサーバ装置で前記キーワードに対応する広告情報を伝送すると、前記伝送された広告情報を前記モバイルデバイスを通して受信するステップと、
前記受信された広告情報を前記ディスプレイするステップと、を更に含む
ことを特徴とする請求項８に記載のディスプレイ装置のサービス提供方法。
【請求項１０】
ディスプレイされた前記付加情報が選択されると、前記選択された付加情報に対応されるサービスを提供するステップを更に含む
ことを特徴とする請求項８に記載のディスプレイ装置のサービス提供方法。
【請求項１１】
前記付加情報は、
場所情報、連絡先情報、マルチメディアコンテンツ、広告情報のうち少なくとも一つを含み、
前記サービスを提供するステップは、
前記場所情報が選択されると前記場所情報を目的地とする経路案内サービスを提供し、前記連絡先情報が選択されると前記連絡先情報に対する電話接続を行う電話サービスを提供し、前記マルチメディアコンテンツが選択されると前記マルチメディアコンテンツに対する再生サービスを提供し、前記広告情報が選択されると詳細広告情報を含む画面をディスプレイする広告サービスを提供する
ことを特徴とする請求項１０に記載のディスプレイ装置のサービス提供方法。
【請求項１２】
サーバ装置、前記モバイルデバイス、前記モバイルデバイスと通話を行う通信相手機器、前記ディスプレイ装置の保存部のうち少なくとも一つに保存された情報の中で前記キーワードに対応する前記付加情報を検索するステップを更に含む
ことを特徴とする請求項８に記載のディスプレイ装置のサービス提供方法。
【請求項１３】
前記モバイルデバイスの通話内容が受信されると、前記通話内容から前記キーワードを抽出して獲得し、獲得されたキーワードに基づいて前記付加情報を検索するステップを更に含む
ことを特徴とする請求項８に記載のディスプレイ装置のサービス提供方法。
【発明の詳細な説明】
【技術分野】
【０００１】
本発明は、ディスプレイ装置及びモバイルデバイスを含むサービス提供システム及びサービス提供方法に関し、特に、通話内容に関連したサービスを簡便に提供するディスプレイ装置、モバイルデバイスを含むサービス提供システム及びサービス提供方法に関する。
【背景技術】
【０００２】
最近、通信技術及び電子装置の技術が発展するにつれ多様な携帯端末装置及びディスプレイ装置が開発されている。多くの人がパーソナル携帯端末装置を所有しており、車両又は街の至るところに多様な機能を行うディスプレイ装置が設置されている。
【０００３】
車両に設置されたディスプレイ装置は車両の状態情報を表示し、温度制御のようなメニューを表示してユーザから制御命令を入力してもらう機能を行う。なお、ナビゲーション機能を含んでユーザが容易に目的地へたどり着くように助ける。個人携帯通信装置は相手と通話、ショートメール送受信の機能を行う。
【０００４】
ユーザは車両の運転中に相手と通話をし、第三者に電話をかけたり目的地を変更したりする場合がある。一般に、ユーザが第三者と通話するためには携帯用通信装置を利用して第三者の電話番号を入力するか保存されている電話番号リストから検索した後に電話をかけなければならない。目的地を変更するためにはディスプレイ装置で目的地を入力した後、目的地が検索されると検索された目的地を選択する動作を行わなければならない。運転中の場合のように特殊な状況でこのような入力及び検索する過程は危険を招く可能性があり、第三者の情報又は目的地を入力する過程で間違って打つ問題がある。従って、運転中に第三者に簡便に電話をかけたり目的地を変更する方法に対する必要性が増加している。
【０００５】
なお、相手と通話をする場合、興味のある分野に対して話し合う場合が多いため、このような興味分野に対する情報をあえて検索しなくても興味主題に対する情報を提供してもらいたくなる。
【０００６】
従って、ディスプレイ装置を利用して第三者との通話、目的地の変更を簡便にし、興味情報を提供してもらえる技術に対する必要性が台頭されている。
【先行技術文献】
【特許文献】
【０００７】
【特許文献１】米国特開第２０１０−０１３８１５３号公報
【特許文献２】韓国特開第２０１１−００２４１７０号公報
【発明の概要】
【発明が解決しようとする課題】
【０００８】
そこで、本発明は、上記問題に鑑みてなされたものであり、本発明はユーザの通話内容に基づいて付加情報を表示し対応するサービスを簡便に提供するディスプレイ装置、モバイルデバイスを含むサービス提供システム及びサービス提供方法を提供することを目的とする。
【課題を解決するための手段】
【０００９】
本発明の上述した目的を達成するための一実施形態によると、移動体に搭載されるディスプレイ装置は、モバイルデバイスと通信を行う通信部と、前記モバイルデバイスで通話が行われると、その通話内容に含まれたキーワードを獲得（ａｃｑｕｉｒｉｎｇ）する制御部と、前記キーワードに対応する付加情報をディスプレイするディスプレイ部と、を含む。
【００１０】
そして。前記付加情報は前記キーワードに対応する広告情報を含み、前記通信部は、広告データベースを保存するサーバ装置で前記キーワードに対応する広告情報を伝送すると、前記伝送された広告情報を前記モバイルデバイスを通して受信し、前記制御部は、前記受信された広告情報を前記ディスプレイ部を通してディスプレイすることができる。
【００１１】
なお、前記制御部は、ディスプレイされた前記付加情報が選択されると、前記選択された付加情報に対応されるサービスを提供することができる。
【００１２】
一方、前記付加情報は、場所情報、連絡先情報、マルチメディアコンテンツ、広告情報のうち少なくとも一つを含み、前記制御部は、前記場所情報が選択されると前記場所情報を目的地とする経路案内サービスを提供し、前記連絡先情報が選択されると前記連絡先情報に対する電話接続を行う電話サービスを提供し、前記マルチメディアコンテンツが選択されると前記マルチメディアコンテンツに対する再生サービスを提供し、前記広告情報が選択されると詳細広告情報を含む画面をディスプレイする広告サービスを提供することができる。
【００１３】
一方、ディスプレイ装置は保存部を更に含み、前記制御部は、サーバ装置、前記モバイルデバイス、前記モバイルデバイスと通話を行う通信相手機器、前記保存部のうち少なくとも一つに保存された情報の中で前記キーワードに対応する前記付加情報を検索することができる。
【００１４】
そして、前記制御部は、前記通信部を通して前記モバイルデバイスの通話内容が受信されると、前記通話内容から前記キーワードを抽出して獲得し、獲得されたキーワードに基づいて前記付加情報を検索することができる。
【００１５】
本発明の上述した目的を達成するための一実施形態によると、モバイルデバイスは、移動体に搭載されるディスプレイ装置と通信を行う通信部と、通信相手機器と通話を行う通話接続部と、通話内容をサーバ装置に伝送して前記通話内容に含まれたキーワードに対応する広告情報を受信し、前記広告情報を前記ディスプレイ装置に伝送する制御部と、を含む。
【００１６】
本発明の上述した目的を達成するための一実施形態によると、サービス提供システムは、通信相手機器と通話を行うモバイルデバイスと、前記モバイルデバイスで通話が行われると、前記モバイルデバイスと通信を行い、その通話内容に含まれたキーワードを獲得するディスプレイ装置と、を含み、前記ディスプレイ装置は、前記キーワードに対応する付加情報をディスプレイする。
【００１７】
本発明の上述した目的を達成するための一実施形態によると、ディスプレイ装置のサービス提供方法は、モバイルデバイスと通信を行うステップと、前記モバイルデバイスで通話が行われると、その通話内容に含まれたキーワードを獲得（ａｃｑｕｉｒｉｎｇ）するステップと、前記キーワードに対応する付加情報をディスプレイするステップと、を含む。
【００１８】
そして、前記付加情報は前記キーワードに対応する広告情報を含み、広告データベースを保存するサーバ装置で前記キーワードに対応する広告情報を伝送すると、前記伝送された広告情報を前記モバイルデバイスを通して受信するステップと、前記受信された広告情報を前記ディスプレイするステップと、を更に含むことができる。
【００１９】
なお、ディスプレイ装置のサービス提供方法はディスプレイされた前記付加情報が選択されると、前記選択された付加情報に対応されるサービスを提供するステップを更に含むことができる。
【００２０】
そして、前記付加情報は、場所情報、連絡先情報、マルチメディアコンテンツ、広告情報のうち少なくとも一つを含み、前記サービスを提供するステップは、前記場所情報が選択されると前記場所情報を目的地とする経路案内サービスを提供し、前記連絡先情報が選択されると前記連絡先情報に対する電話接続を行う電話サービスを提供し、前記マルチメディアコンテンツが選択されると前記マルチメディアコンテンツに対する再生サービスを提供し、前記広告情報が選択されると詳細広告情報を含む画面をディスプレイする広告サービスを提供することができる。
【００２１】
一方、ディスプレイ装置のサービス提供方法は、サーバ装置、前記モバイルデバイス、前記モバイルデバイスと通話を行う通信相手機器、前記保存部のうち少なくとも一つに保存された情報の中で前記キーワードに対応する前記付加情報を検索するステップを更に含むことができる。
【００２２】
なお、ディスプレイ装置のサービス提供方法は、前記モバイルデバイスの通話内容が受信されると、前記通話内容から前記キーワードを抽出して獲得し、獲得されたキーワードに基づいて前記付加情報を検索するステップを更に含むことができる。
【００２３】
本発明の上述した目的を達成するための一実施形態によると、モバイルデバイスのサービス提供方法は、移動体に搭載されるディスプレイ装置と通信を行うステップと、通信相手機器と通話を行うステップと、通話内容をサーバ装置に伝送して前記通話内容に含まれたキーワードに対応する広告情報を受信し、前記広告情報を前記ディスプレイ装置に伝送するステップと、を含む。
【発明の効果】
【００２４】
以上説明したように本発明によれば、ディスプレイ装置及びモバイルデバイスを含むサービス提供システムはユーザの通話内容に基づいて付加情報を表示して対応するサービスを提供することができる。
【図面の簡単な説明】
【００２５】
【図１】本発明の一実施形態にかかる移動体に搭載されたサービス提供システムを説明する図である。
【図２】本発明の一実施形態にかかるサーバとモバイルデバイス間のシステムを説明する図である。
【図３】本発明の一実施形態にかかるディスプレイ装置のブロック図である。
【図４】本発明の一実施形態にかかる通信装置のブロック図である。
【図５】本発明の一実施形態にかかるサーバのブロック図である。
【図６】本発明の第１実施形態にかかる通話中にキーワードを抽出して付加情報をディスプレイ装置に表示する方法を説明するタイミング図である。
【図７】本発明の第２実施形態にかかる通話中にキーワードを抽出して付加情報をディスプレイ装置に表示する方法を説明するタイミング図である。
【図８】本発明の第３実施形態にかかる通話中にキーワードを抽出して付加情報をディスプレイ装置に表示する方法を説明するタイミング図である。
【図９】本発明の第４実施形態にかかる通話中にキーワードを抽出して付加情報をディスプレイ装置に表示する方法を説明するタイミング図である。
【図１０】本発明の第５実施形態にかかる通話中にキーワードを抽出して付加情報をディスプレイ装置に表示する方法を説明するタイミング図である。
【図１１】本発明の一実施形態にかかる付加情報表示を説明する図である。
【図１２】本発明の一実施形態にかかる目的地の変更サービスを説明する図である。
【図１３】本発明の一実施形態にかかる第三者に通話接続サービスを説明する図である。
【図１４】本発明の他の実施形態にかかるディスプレイ装置の構成を説明するためのブロック図である。
【図１５】本発明の一実施形態にかかる広告サービスの提供方法を説明するタイミング図である。
【図１６】本発明の他の実施形態にかかる広告サービスの提供方法を説明するタイミング図である。
【図１７】本発明の一実施形態にかかるモバイルデバイス及びディスプレイ装置を車両と接続して使用する実施形態に対する図である。
【図１８】本発明の一実施形態にかかる複数の端末装置が含まれたサービス提供方法を説明する図である。
【図１９】本発明の一実施形態にかかるＣＡＮ（Ｃｏｎｔｒｏｌｌｅｒ  Ａｒｅａ  Ｎｅｔｗｏｒｋ）のデータフレームフォーマットを示す図である。
【図２０】本発明の一実施形態にかかるディスプレイ装置のサービス提供方法のフローチャートである。
【図２１】本発明の一実施形態にかかるモバイルデバイスのサービス提供方法のフローチャートである。
【発明を実施するための形態】
【００２６】
以下、本発明の多様な実施形態を添付された図面を参照して詳細に説明する。そして、本発明を説明するにおいて、関連する公知機能或いは構成に対する具体的な説明が本発明の要旨を不明にすると判断された場合その詳細な説明は省略する。そして、後述される用語は本発明での機能を考慮して定義された用語であり、これはユーザ、運用者の意図或いは慣例によって異なってもよい。そのため、その定義は本明細書の全般にかかった内容に基づいて定められるべきである。
【００２７】
図１は、本発明の一実施形態にかかる移動体に搭載されたサービス提供システムを説明する図である。
【００２８】
図１を参照すると、サービス提供システム１０００は、ディスプレイ装置１００、モバイルデバイス２００、電子制御装置（Ｅｌｅｃｔｒｏｎｉｃ  Ｃｏｎｔｒｏｌ  Ｕｎｉｔ：ＥＣＵ）３００を含む。
【００２９】
ディスプレイ装置１００は車両に内蔵されている形態でもよく、脱着可能な形態でもよい。例えば、ディスプレイ装置１００は車両内のＨ／Ｕ（Ｈｅａｄ  Ｕｎｉｔ）、ナビゲータ、タブレットＰＣ、デジタルフレームなどであってよい。ディスプレイ装置１００は電子制御装置３００から受信した車両の各種状態情報及び制御メニューを表示することもでき、モバイルデバイス２００から伝送してもらったアプリケーションなどを表示することもできる。
【００３０】
モバイルデバイス２００はセルラー通信モジュール（不図示）を含む携帯、スマートフォン、ＰＤＡなどであってよい。セルラー通信モジュールはセルラー通信プロトコルに従う無線アクセス技術を使用して、少なくとも一つ又は複数のアンテナ（不図示）を通してセルラーシステムの基地局を通して外部装置と接続されるようにする。モバイルデバイス２００は入力される電話番号を有する通信可能な他の機器と音声通話、画像通話、メッセージを含む無線信号を送受信する。
【００３１】
電子制御装置３００は、車両の電気システム又はサブシステムのうち一つ以上を制御するエンベデッドシステムを意味する。電子制御装置３００の種類は、電気／エンジン制御モジュール、パワートレイン制御モジュール、伝送制御モジュール、ブレーキ制御モジュール、中央制御モジュール、中央タイミング制御モジュール、一般電子モジュール、ボティ制御モジュール、サスペンション制御モジュールなどを含むことができる。従って、電子制御装置３００は車両に含まれた各種センサから情報を受信して自動変速器、駆動系統、制動系統、ステアリング系統など、車両のすべての部分を制御する役割を行う。
【００３２】
ディスプレイ装置１００はモバイルデバイス２００及び電子制御装置３００と多様な通信方法を利用して接続されることができる。例えば、ディスプレイ装置１００はモバイルデバイス２００とＵＳＢなどを利用した有線で接続されることができる。又は、Ｗｉ-Ｆｉ又はブルートゥースのような近距離無線通信方式を利用して無線で接続されることもできる。ディスプレイ装置１００と接続されたモバイルデバイス２００は受信された通話、メッセージを含む多様なデータなどをディスプレイ装置１００に伝送することができる。ディスプレイ装置１００はモバイルデバイス２００から伝送された多様なデータを保存することができ、表示することもできる。又は、ディスプレイ装置１００は外部へのデータ伝送命令が入力されるとモバイルデバイス２００に該当データと伝送命令を送ることができる。モバイルデバイス２００はディスプレイ装置１００から受信したデータを伝送命令に従って外部装置に伝送することができる。ディスプレイ装置１００とモバイルデバイス２００は相互権限情報を送受信することができ、伝送するメッセージを暗号化して伝送することができる。データを送受信するときにデータを受信したディスプレイ装置１００又はモバイルデバイス２００は権限情報を確認して該当動作を行うことで、他の装置又は間違ったデータ伝送による誤動作を防止することができる。
【００３３】
ディスプレイ装置１００は電子制御装置３００と接続されることができる。一実施例として、ディスプレイ装置１００と電子制御装置３００はＣＡＮ（Ｃｏｎｔｒｏｌｌｅｒ  Ａｒｅａ  Ｎｅｔｗｏｒｋ）方式で接続されることができる。ＣＡＮについては後述することにする。電子制御装置３００はディスプレイ装置１００と接続され検知された車両状態情報などをディスプレイ装置１００に伝送し、ディスプレイ装置１００は伝送された車両状態情報を表示するか保存することができる。又は、ディスプレイ装置１００は車両制御メニューを表示し、ユーザから車両制御命令が入力されると入力された制御命令を電子制御装置３００に伝送することができる。例えば、ユーザはディスプレイ装置１００を通してヘッドライトオン／オフ、車内温度設定などの車両制御をすることができる。制御命令を受信した電子制御装置３００は該当するモジュールに対する制御を行うことができる。
【００３４】
モバイルデバイス２００はディスプレイ装置１００から受信した通話命令、メッセージ送信命令、データ送受信命令に対して外部通信装置又はサーバと接続して受信した命令に対応する動作を行うことができる。
【００３５】
図２は、本発明の一実施形態にかかるサーバとモバイルデバイス間のシステムを説明する図である。
【００３６】
図２を参照すると、第１及び第２モバイルデバイス２００−１、２００−２及びサーバ４００が示されている。
【００３７】
第１及び第２モバイルデバイス２００−１、２００−２は、図１で説明したように、セルラー通信モジュール（不図示）を含む。従って、第１モバイルデバイス２００−１と第２モバイルデバイス２００−２は一般的なセルラー通信プロトコルに従う無線アクセス技術を用いて接続される。第１及び第２モバイルデバイス２００−１、２００−２は、音声通話、画像通話、メッセージ伝送、データ伝送が可能である。第１及び第２モバイルデバイス２００−１、２００−２はサーバ４００と通信することができる。
【００３８】
図２で示したシステム２０００においてサーバ４００は多様な機能によって多様な種類になることができる。サーバ４００との関係で第１及び第２モバイルデバイス２００−１、２００−２は同一な機能を行うこともできるため、以下では第１及び第２モバイルデバイス２００−１、２００−２をモバイルデバイス２００と記述することにする。
【００３９】
例えば、モバイルデバイス２００がサーバ４００に場所情報を要請する場合、サーバ４００はマップ関連データを保存しているマップデータサーバになることができる。モバイルデバイス２００が広告情報を要請する場合、サーバ４００は広告サーバになることができる。モバイルデバイス２００がサーバ４００に交通情報を要請する場合、サーバ４００はリアルタイム交通情報を保存している交通情報サーバになることもできる。サーバ４００は一つの特定機能を行うものではなく、多様な情報を保存していることができる。又は、サーバ４００はモバイルデバイス２００から情報要請がある場合、他のサーバ又はウェブを検索して要請された情報を伝送する役割を行うこともできる。
【００４０】
他の実施例として、サーバ４００は物理的に存在するサーバでなくインターネットのようなウェブになることもできる。なお、サーバ４００はモバイルデバイス２００から受信したユーザ情報に対応するユーザプロファイルを生成してユーザ関連情報を保存する管理サーバになることもできる。即ち、サーバ４００はモバイルデバイス２００から通話内容を受信することができる。サーバ４００は対応するユーザプロファイルに通話内容を保存することができ、通話内容からキーワードを抽出することができる。サーバ４００は抽出されたキーワードを用いて広告サーバ４００からマッチングする広告情報を検索してモバイルデバイス２００に伝送することができる。
【００４１】
例えば、モバイルデバイス２００とサーバ４００はＷｉ-Ｆｉのような無線ＬＡＮ方式を利用して接続されることができる。
【００４２】
このように、モバイルデバイス２００はセルラー通信方式を用いて他の通信装置と接続して音声通話又はデータを送受信したり、無線ＬＡＮ方式を用いてサーバと接続してデータを送受信することができる。今まで、サービス提供システム１０００及びサーバ４００とモバイルデバイス２００間のシステム２０００について説明した。以下では、サービス提供システムに含まれるディスプレイ装置１００、モバイルデバイス２００について説明することにする。
【００４３】
図３は、本発明の一実施形態にかかるディスプレイ装置のブロック図である。
【００４４】
図３を参照すると、ディスプレイ装置１００は、ディスプレイ部１３０、制御部１４０、通信部１５０を含む。
【００４５】
通信部１５０は、モバイルデバイス２００と通信を行う。モバイルデバイス２００との通信は有線又は無線で行うことができる。通信部１５０はモバイルデバイス２００で通話接続されると、接続された通話内容を受信し、ユーザの発信音声をモバイルデバイス２００に伝送する。通信部１５０は抽出されたキーワードをモバイルデバイス２００に伝送し、キーワードに対応する付加情報をモバイルデバイス２００から受信することができる。キーワードは人名、地名、映画名、商品名などのような主要単語を意味する。付加情報はキーワードに連関する情報を意味する。例えば、キーワードが人名である場合、付加情報は当該人の連絡先情報になることができる。キーワードが地名である場合、付加情報は場所情報になることができる。キーワードが映画名である場合、付加情報は映画広告情報になることができ、キーワードが商品名である場合、付加情報は商品広告情報になることができる。
【００４６】
ディスプレイ部１３０はキーワードに対応する付加情報をディスプレイする。ここで、ディスプレイ部１３０は、液晶ディスプレイ（ｌｉｑｕｉｄ  ｃｒｉｙｓｔａｌ  ｄｉｓｐｌａｙ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｒｓｔａｌ  ｄｉｓｐｌａｙ）、有機発光ダイオード（ｏｒｇａｎｉｃ  ｌｉｇｈｔ  ｅｍｉｔｔｉｎｇ  ｄｉｏｄｅ）、フレキシブルディスプレイ（ｆｌｅｘｉｂｌｅ  ｄｉｓｐｌａｙ）、３次元ディスプレイ（３Ｄ  ｄｉｓｐｌａｙ）のうち少なくとも一つで実現されてもよい。キーワードに対応する付加情報を表示する方法については後述することにする。
【００４７】
制御部１４０は、モバイルデバイス２００で通話がなされると、通話内容に含まれたキーワードを獲得する。キーワードを獲得するための一実施例として、ディスプレイ装置１００はユーザ音声が含まれたアナログ形態のオーディオ信号の入力を受けてデジタル信号に変換する。入力されたデジタル信号からノイズを除去する。ノイズの除去されたデジタル信号でキーワードを判断する。他の実施例として、変換されたデジタル信号をテキスト情報に生成した後、生成されたテキスト情報を分析してキーワードを判断することができる。
【００４８】
制御部１４０は獲得されたキーワードを利用して付加情報を検索する。制御部１４０はディスプレイ装置１００の保存部（不図示）を検索することができる。なお、モバイルデバイス２００に検索命令を伝送してサーバ４００、モバイルデバイス２００又はモバイルデバイス２００と通話接続された通信相手機器を検索することもできる。
【００４９】
なお、制御部１４０はディスプレイされた付加情報が選択されると、選択された付加情報に対応するサービスを提供する。例えば、場所情報が選択されると、場所情報を目的地とする経路案内サービスを提供することができる。連絡先情報が選択されると、連絡先情報に対する電話接続を行う電話サービスを提供することができる。マルチメディアコンテンツが選択されると、マルチメディアコンテンツに対する再生サービスを提供し、広告情報が選択されると広告サービスを提供することができる。制御部１４０はディスプレイ装置１００のディスプレイ部１３０、通信部１５０を含む各構成部分を制御する。
【００５０】
ディスプレイ装置１００は保存部（不図示）を更に含むことができる。保存部は検出されたキーワード、受信された付加情報、電話番号又はマップデータなどを保存することができる。
【００５１】
図４は、本発明の一実施形態にかかる通信装置のブロック図である。
【００５２】
図４を参照すると、モバイルデバイス２００は、通信部２１０、通話接続部２２０、制御部２３０を含む。
【００５３】
通信部２１０は、ディスプレイ装置１００と通信を行う。通信部２１０は、通信相手機器と通話が接続された場合、通話内容をディスプレイ装置１００に伝送する。また、通信部はディスプレイ装置１００からキーワードを受信することができる。そして、キーワードを用いてサーバ、モバイルデバイス２００または通信相手機器で検索した付加情報をディスプレイ装置１００に伝送する。
【００５４】
通話接続部２２０は、セルラー通信モジュール（不図示）を含む。従って、通話接続部２２０は通信相手機器と通話を行う。図４においては通話接続部２２０を別途の構成部として示したが、通話接続部２２０は通信部２１０に含まれてもよい。
【００５５】
制御部２３０はキーワードを用いて付加情報を検索する。場合によっては、ディスプレイ装置１００がキーワード抽出機能を行わない場合、モバイルデバイス２００の制御部２３０がキーワードを抽出することができる。キーワードの抽出方法は上述したため省略することにする。モバイルデバイス２００は保存部（不図示）を更に含むことができる。保存部は検出されたキーワード、受信された付加情報、電話番号又はマップデータなどを保存することができる。
【００５６】
制御部２３０は通話内容をサーバ４００に伝送して通話内容に含まれたキーワードに対応する付加情報を受信し、受信した付加情報をディスプレイ装置１００に伝送するように通信部２１０を制御することができる。特に、制御部２３０はサーバ４００から広告情報を受信し、広告情報をディスプレイ装置１００に伝送するように通信部２１０を制御することができる。
【００５７】
図５は、本発明の一実施形態にかかるサーバのブロック図である。
【００５８】
図５を参照すると、サーバ４００は通信部４１０及び制御部４２０を含む。場合によって、サーバ４００は通話内容を受信してキーワードを抽出し、連関する付加情報をモバイルデバイス２００に伝送することができる。
【００５９】
通信部４１０はモバイルデバイス２００から通話内容と位置情報を受信する。通話内容及び位置情報は暗号化して伝送されることができる。サーバは保存部（不図示）を含むことができ、保存部は受信された通話内容及び位置情報をユーザ別又は位置別にグルーピングして保存することができる。
【００６０】
制御部４２０は通話内容から通話キーワードを抽出し、通話キーワード及び位置情報に基づいて広告情報を検索する。通話キーワードは通話内容の主要単語を意味し、繰り返される単語又は一つのカテゴリーにまとめることができる単語の集合に優先順位を付与して抽出する。例えば、通話中に映画に対して話し合うとすると、「映画」という単語が繰り返され、「Ａ映画」、「Ｂ映画」、「ＡＡ劇場」、「ＢＢ劇場」という単語が抽出されることができる。この場合、通話キーワードは、映画、Ａ映画、Ｂ映画、ＡＡ劇場、ＢＢ劇場が通話キーワードとして抽出されることができる。制御部４２０は通話キーワードとして抽出された単語の中で反復回数などを基準にして優先順位を付与して抽出することができる。
【００６１】
ユーザがＸＸＸｓｔｒｅｅｔにいると、制御部４２０は受信したＸＸＸｓｔｒｅｅｔの位置情報及び抽出したＡ映画などの通話キーワードを利用して近方の劇場情報又はＡ映画に対する情報を検索する。通信部４１０は検索された広告情報をディスプレイ装置１００、モバイルデバイス２００、及び予め設定された領域内に位置する外部ディスプレイ装置のうち少なくとも一つの装置に伝送することができる。例えば、外部ディスプレイ装置は街に設置された公共ディスプレイ情報装置（Ｐｕｂｌｉｃ  Ｉｎｆｏｒｍａｔｉｏｎ  Ｄｉｓｐｌａｙ：ＰＩＤ）であってもよい。
【００６２】
予め設定された領域の外部ディスプレイ装置は、モバイルデバイス２００から１０ｍ以内のように一定距離以内の領域の外部ディスプレイ装置に設定されてもよく、モバイルデバイス２００周辺の外部ディスプレイ装置の中で最も近い外部ディスプレイ装置に設定されてもよい。
【００６３】
サーバ４００は単純検索サーバでもよい。この場合、サーバ４００はモバイルデバイス２００からキーワードを受信してキーワードに関連する付加情報を検索し、検索された付加情報をモバイルデバイス２００に伝送することもできる。サーバ４００は付加情報に対するデータを保存部（不図示）にデータベース化して保存することができる。
【００６４】
今まで、システムを構成するディスプレイ装置１００、モバイルデバイス２００及びサーバ４００に対して説明した。以下では、ディスプレイ装置のサービス提供方法に対する多様な実施形態について説明することにする。
【００６５】
図６は、本発明の第１実施形態にかかる通話中にキーワードを抽出して付加情報をディスプレイ装置に表示する方法を説明するタイミング図である。図６は、モバイルデバイス２００が通話内容からキーワードを抽出してモバイルデバイス２００の保存部を検索する実施形態である。
【００６６】
図６を参照すると、モバイルデバイス２００は通信相手機器からかけられてきた通話信号を受信する（Ｓ６１０）。モバイルデバイス２００は受信された通話内容をディスプレイ装置１００に伝送する（Ｓ６２０）。通話内容の伝送はモバイルデバイス２００で通話信号を処理してディスプレイ装置１００に伝送することができる。又は、モバイルデバイス２００は受信された通話信号をそのままディスプレイ装置１００に伝送することもできる。このとき、ディスプレイ装置１００はモバイルデバイス２００で表示される画面と同一な画面が表示されてもよく、通話信号を受信したときに特別なアプリケーションを実行してディスプレイ装置１００の固有の画面を表示してもよい。
【００６７】
モバイルデバイス２００は通話内容からキーワードを抽出し、キーワードに連関する付加情報を検索する（Ｓ６３０）。モバイルデバイス２００はユーザ音声の含まれたアナログ形態のオーディオ信号を入力してもらってデジタル信号に変換する。ノイズの除去されたデジタル信号でキーワードを判断してキーワードを抽出することができる。又は、モバイルデバイス２００は変換されたデジタル信号をテキスト情報に生成した後、生成されたテキスト情報を分析してキーワードを判断することができる。
【００６８】
モバイルデバイス２００はキーワードを分析してモバイルデバイス２００の保存部を検索する。例えば、キーワードは人名、地名になることができる。付加情報はキーワードに連関する情報を意味する。例えば、キーワードが人名である場合、付加情報は当該人の連絡先情報になることができる。キーワードが地名である場合、付加情報は場所情報になることができる。
【００６９】
抽出されたキーワードが人名である場合、モバイルデバイス２００は保存部に保存された電話番号リストを検索することができる。一致する人名が検索されると、人名にマッピングされている電話番号、写真のような情報を付加情報として判断する。モバイルデバイス２００がマップデータを保存しており、キーワードとして地名が抽出されることもある。この場合、モバイルデバイス２００はマップデータを検索して一致する地名が検索されると、地名にマッピングされている住所、電話番号のような情報を付加情報として判断する。
【００７０】
モバイルデバイス２００はキーワード及び検索された付加情報をディスプレイ装置１００に伝送する。モバイルデバイス２００において付加情報検索及び伝送は通話中にリアルタイムで行われてもよい。又は、付加情報検索は通話中にリアルタイムで行われ、検索された付加情報は臨時保存しておいてから通話終了後にディスプレイ装置１００に伝送してもよい。ディスプレイ装置１００はキーワード及び受信された付加情報をディスプレイする（Ｓ６５０）。具体的な表示方法については後述する。
【００７１】
図７は、本発明の第２実施形態にかかる通話中にキーワードを抽出して付加情報をディスプレイ装置に表示する方法を説明するタイミング図である。図７は、ディスプレイ装置１００が通話内容からキーワードを抽出して付加情報を検索する実施形態である。
【００７２】
図７を参照すると、モバイルデバイス２００は通信相手機器からかけられてきた通話信号を受信する（Ｓ７１０）。モバイルデバイス２００は受信された通話内容をディスプレイ装置１００に伝送する（Ｓ７２０）。ディスプレイ装置１００がモバイルデバイス２００から通話内容を伝送してもらうと、ディスプレイ装置１００は特定のアプリケーションを実行し、固有の通話画面をディスプレイすることができる。
【００７３】
ディスプレイ装置１００は通話内容からキーワードを抽出し、キーワードに連関する付加情報を検索する（Ｓ７３０）。キーワードの抽出過程は上述したため省略することにする。ディスプレイ装置１００はディスプレイ装置１００の保存部を検索することができる。抽出されたキーワードが人名であると電話番号リストを検索する。抽出されたキーワードが地名であり、ディスプレイ装置１００がマップデータを保存していると、保存されたマップデータを検索する。
【００７４】
もし、ディスプレイ装置１００が電話番号リスト又はマップデータを保存していなければ、ディスプレイ装置１００はモバイルデバイス２００にキーワードを伝送することができる。モバイルデバイス２００はキーワードを受信すると、保存された電話番号リスト又はマップデータに連関する付加情報を検索することができる。上述したように、モバイルデバイス２００は抽出されたキーワードが人名である場合、電話番号リストを検索することができる。一致する人名が検索されると、人名にマッピングされている電話番号、写真のような情報を付加情報として判断する。抽出されたキーワードが地名である場合、マップデータを検索することができる。モバイルデバイス２００はキーワードに一致する付加情報（例えば、電話番号、写真、住所）を検索すると検索された付加情報をディスプレイ装置１００に伝送する。
【００７５】
ディスプレイ装置は抽出されたキーワード及び付加情報をディスプレイする（Ｓ７４０）。
【００７６】
図８は、本発明の第３実施形態にかかる通話中にキーワードを抽出して付加情報をディスプレイ装置に表示する方法を説明するタイミング図である。図８は、モバイルデバイス２００が通話内容からキーワードを抽出してサーバ４００に付加情報検索を要請する実施形態である。一般的に、ディスプレイ装置１００又はモバイルデバイス２００は制限的なデータ（例えば、電話番号）のみを保存している。従って、広告情報のようなコンテンツ情報や具体的な場所情報はディスプレイ装置１００又はモバイルデバイス２００の検索だけでは検索されることができない。
【００７７】
図８を参照すると、モバイルデバイス２００は通信相手機器からかけられてきた通話信号を受信する（Ｓ８１０）。モバイルデバイス２００は受信された通話内容をディスプレイ装置１００に伝送する（Ｓ８２０）。モバイルデバイス２００は通話内容からキーワードを抽出する（Ｓ８３０）。
【００７８】
モバイルデバイス２００は抽出されたキーワードをサーバ４００−１に伝送する（Ｓ８４０）。サーバ４００−１はキーワードを受信してキーワードに連関する情報を検索する機能を行う（Ｓ８５０）。キーワードは複数個であることもある。例えば、受信されたキーワードが商号名である場合、サーバ４００−１は反復回数などを基準に優先順位を付与し、一定個数以下のキーワードを中心に連関付加情報を検索することができる。例えば、優先順位を付与したキーワードがＡ映画、ＢＢ劇場であれば、サーバ４００−１はＡ映画に対する広告情報又はＢＢ劇場の広告情報を付加情報として検索することができる。
【００７９】
サーバ４００−１はモバイルデバイス２００からリアルタイムでキーワードを受信し、リアルタイムで検索された付加情報をモバイルデバイス２００に伝送することができる（Ｓ８６０）。モバイルデバイス２００はキーワード及び受信された付加情報をディスプレイ装置１００に伝送する（Ｓ８７０）。ディスプレイ装置１００は受信したキーワード及び付加情報をディスプレイする（Ｓ８８０）。
【００８０】
図９は、本発明の第４実施形態にかかる通話中にキーワードを抽出して付加情報をディスプレイ装置に表示する方法を説明するタイミング図である。図９は、モバイルデバイス２００が通話内容をサーバ４００−２に伝送し、サーバ４００−２が通話内容からキーワードを抽出して付加情報を検索する実施形態である。
【００８１】
図９を参照すると、モバイルデバイス２００は通信相手機器からかけられてきた通話信号を受信する（Ｓ９１０）。モバイルデバイス２００は受信された通話内容をディスプレイ装置１００に伝送する（Ｓ９２０）。
【００８２】
モバイルデバイス２００は通話内容をサーバ４００−２に伝送する（Ｓ９３０）。このとき、サーバ４００−２は一般的な検索サーバではなくユーザに応じてそれぞれのプロファイルを生成して管理する管理サーバであってよい。サーバ４００−２は各ユーザ別にユーザプロファイルを生成し、受信される通話内容を対応するユーザプロファイルに保存することができる。予め生成されたユーザプロファイルがあると、対応する予め生成されたユーザプロファイルに受信された通話内容を保存することができる。モバイルデバイス２００がサーバ４００−２に通話内容を伝送するときにはモバイルデバイス２００の固有識別子（例えば、モバイルデバイスＩＤ、電話番号情報など）を共に伝送することができる。なお、保安のために通話内容は暗号化して伝送することができる。
【００８３】
サーバ４００−２は通話内容からキーワードを抽出し、キーワードに連関する付加情報を検索する（Ｓ９４０）。キーワードの抽出と付加情報の検索は上述した方法と類似した方法で行われる。サーバ４００−２はキーワードと検索された付加情報をモバイルデバイス２００に伝送する。又は、付加情報のみを伝送することもできる。モバイルデバイス２００はキーワードと付加情報をディスプレイ装置１００に伝送する（Ｓ９６０）。ディスプレイ装置１００は受信されたキーワードと付加情報をディスプレイする（Ｓ９７０）。
【００８４】
図１０は、本発明の第５実施形態にかかる通話中にキーワードを抽出して付加情報をディスプレイ装置に表示する方法を説明するタイミング図である。図１０は、第１モバイルデバイス２００−１が通信相手機器である第２モバイルデバイス２００−１に対して検索を要請する過程を含む実施形態である。例えば、通話内容中にＡＡＡという人が言及された場合、ＡＡＡの連絡先情報が第１モバイルデバイス２００−１には保存されていないが、第２モバイルデバイス２００−２には保存されている場合がある。このような場合、第１モバイルデバイス２００−１は第２モバイルデバイス２００−２からＡＡＡの連絡先情報を受信することができる。
【００８５】
図１０を参照すると、第１モバイルデバイス２００−１は第２モバイルデバイス２００−２からかけられてきた通話信号を受信する（Ｓ１０１０）。第１モバイルデバイス２００−１は受信された通話内容をディスプレイ装置１００に伝送する（Ｓ１０２０）。
【００８６】
第１モバイルデバイス２００−１はキーワードを抽出する。このとき、人名が抽出されることがある。まず、第１モバイルデバイス２００−１は自分の保存部に保存された電話番号リストを検索する（Ｓ１０３０）。一致する連絡先情報が検索できないと、第１モバイルデバイス２００−１は第２モバイルデバイス２００−２に抽出されたキーワードに対する付加情報検索を要請する（Ｓ１０４０）。即ち、抽出された人名に対応する連絡先情報を要請する。第２モバイルデバイス２００−２は第１モバイルデバイス２００−１の要請に従って要請された付加情報を検索して第１モバイルデバイス２００−１に伝送する（Ｓ１０５０）。もし、第２モバイルデバイス２００−２も一致する付加情報を検索することができなければ、要請した付加情報がないという信号を第１モバイルデバイス２００−１に伝送することができる。
【００８７】
第１モバイルデバイス２００−１はキーワード及び受信された付加情報をディスプレイ装置１００に伝送する（Ｓ１０６０）。ディスプレイ装置１００は受信したキーワード及び付加情報をディスプレイする（Ｓ１０７０）。
【００８８】
図６乃至図１０において多様なキーワード抽出及び付加情報の検索方法を説明した。ディスプレイ装置１００は上述した方法で通話内容に含まれたキーワードと付加情報をディスプレイすることができる。上述した方法は一つの方法が使用されてもよく、二つ以上の方法が組み合わされた使用されてもよい。キーワード検索及び付加情報検索が複数の装置で行われる場合、優先順位を決めて一つの装置のみが行われるようにすることもできる。又は、特定の付加情報は特定装置又は複数の特定装置でのみ行われるようにすることができる。
【００８９】
図１１は、本発明の一実施形態にかかる付加情報表示を説明する図である。
【００９０】
図１１の（１）を参照すると、ディスプレイ装置１００はモバイルデバイス２００と接続されている。モバイルデバイス２００は相手からかけられてきた通話信号を受信する。モバイルデバイス２００は受信された通話内容をディスプレイ装置１００に伝送する。ディスプレイ装置１００は道案内サービスを提供している。ディスプレイ装置１００はコンテンツ再生や他の動作を行うこともできる。
【００９１】
ディスプレイ装置１００がモバイルデバイス２００から通話信号を受信すると、ディスプレイ部１３０を二つの領域に分割して表示することができる。上側領域２１は道案内サービスを表示し、下側領域２２は受信された通話信号に関連した内容を表示する。即ち、下側領域２２は通話の受信知らせ、発信者名、発信者写真、発信者電話番号を表示することができる。発信者に対する情報はディスプレイ装置１００に保存されていてもよく、モバイルデバイス２００が通話信号を伝送しながら発信者に対する情報を共に伝送してもよい。下側領域２２は受信ボタン２３、無視ボタン、ビジー（ｂｕｓｙ）ボタン２５を共に表示することもできる。無視ボタン２４が選択されると通話が拒否される。ビジーボタン２５が選択されると相手に特定のメッセージが伝送される。受信ボタン２３が選択されると通話が行われる。
【００９２】
図１１の（２）を参照すると、通話が行われる場合、通話内容からキーワードを抽出し、抽出されたキーワードに連関する付加情報が表示されたディスプレイ装置１００を示してしる。通話中にリアルタイムでキーワードは抽出されることができる。上述したように、キーワードの抽出は、ディスプレイ装置１００、モバイルデバイス２００及びサーバ４００のうち少なくとも一つの装置で行われてもよい。通話内容中にＥＥＥという人名が抽出された場合、ＥＥＥの写真と連絡先情報を含むＥＥＥ付加情報３１が表示される。通話内容中にＢビルが抽出された場合、Ｂビルの住所を含むＢビルの付加情報３３が表示される。付加情報の表示は通話中にリアルタイムで行われてもよく、通話終了後に検索された付加情報が同時に表示されてもよい。
【００９３】
ディスプレイ装置１００はキーワードと付加情報を一定形態の図形（例えば、三角形、四角形、五角形、六角形、円）の中に表示することができる。例えば、キーワードが人名である場合、人名と電話番号を四角形の図形の中に表示することができる。又は、写真を追加して表示することができる。キーワードが地名である場合、地名という意味のアイコンと地名を四角形の図形の中に表示することができる。又は、住所や電話番号を追加して表示することができる。ディスプレイ装置１００は図１１の（２）に示すように、キーワードが人名や地名である場合にのみ付加情報を表示することができる。又は、人名や地名に関連した付加情報だけでなく、広告情報、マルチメディアコンテンツのような付加情報を追加して表示することもできる。又は、表示する付加情報の種類をユーザが設定することもできる。ディスプレイ装置１００で付加情報が配列される順序は付加情報の検索順で配列されてもよく、キーワードの文字順序（例えば、ＡＢＣ）に従って配列されてもよく、キーワードの種類別に配列されてもよい。表示された付加情報が選択されると、ディスプレイ装置１００は対応するサービスを行う。
【００９４】
図１２は、本発明の一実施形態にかかる目的地の変更サービスを説明する図である。
【００９５】
図１２の（１）を参照すると、通話終了後に付加情報が表示されたディスプレイ装置１００を示している。図１１において説明したように、ディスプレイ装置１００は通話内容中に抽出されたキーワードに連関する付加情報を表示している。ユーザが閉じるボタン２６を選択すると、ディスプレイ装置１００は付加情報表示画面を閉じ、以前のサービス画面に転換する。ユーザがＢビルの付加情報メニュー３３を選択する。
【００９６】
図１２の（２）を参照すると、Ｂビルの詳細情報が表示される。Ｂビルの詳細情報は住所、電話番号を含むことができ、目的地設定ボタン、通話ボタン、Ｂビルのレビューボタン、共有ボタンが共に表示される。ユーザが目的地設定ボタン２７を選択する。
【００９７】
図１２の（３）を参照すると、ユーザの目的地設定ボタン２７の選択によって目的地が変更されたディスプレイ装置１００を示している。即ち、ディスプレイ装置１００は既存の目的地からユーザが選択したＢビルに目的地を変更して道案内サービスを行う。このように、簡便に目的地が変更できるため、運転中の状態でも迅速で安全に目的地の変更が可能である。
【００９８】
図１３は、本発明の一実施形態にかかる第三者に通話接続するサービスを説明する図である。
【００９９】
図１３の（１）を参照すると、通話終了後に付加情報が表示されたディスプレイ装置１００を示している。図１１において説明したように、ディスプレイ装置１００は通話内容中に抽出されたキーワードに連関する付加情報を表示している。ユーザが閉じるボタン２６を選択すると、ディスプレイ装置１００は付加情報表示画面を閉じ、以前のサービス画面に転換する。ユーザがＥＥＥの付加情報メニュー３１を選択する。
【０１００】
図１３の（２）を参照すると、ディスプレイ装置１００はＥＥＥの付加情報選択に対応してＥＥＥの電話番号に電話を接続する。即ち、ディスプレイ装置１００は接続されたモバイルデバイス２００のＥＥＥに対する電話接続を要請すると、モバイルデバイス２００はＥＥＥに対して通話を試す。この時、ディスプレイ装置１００はディスプレイ部１３０を二つの領域に分離して表示することができる。上側領域２１は道案内サービスを表示し、下側領域２２は受信者に対する情報を表示することができる。
【０１０１】
図１２乃至図１３では、付加情報として人名と地名情報に対する実施例について説明した。しかし、付加情報は広告情報になることもできる。この場合、ディスプレイ装置１００は広告付加情報も一つのメニューとして表示することができ、ユーザが広告付加情報メニューを選択すると対応する広告情報がディスプレイされる。
【０１０２】
ディスプレイ装置１００はモバイルデバイス２００を通して通話接続を行う。しかし、ディスプレイ装置１００はセルラー通信モジュール１５１を含んでモバイルデバイス２００なしに通話接続を行うこともできる。
【０１０３】
図１４は、本発明の他の実施形態にかかるディスプレイ装置の構成を説明するためのブロック図である。
【０１０４】
図１４を参照すると、ディスプレイ装置１００ａは、保存部１１０、検出部１２０、ディスプレイ部１３０、制御部１４０、通信部１５０、マルチメディア部１６０、撮像部１７０、センサ部１８０、入／出力部１９０を含む。
【０１０５】
保存部１１０は制御部１４０によって処理された各種のマルチメディアデータ、コンテンツデータ、外部ソースから受信されたデータなどを保存する。
【０１０６】
保存部１１０はディスプレイ装置１００ａ又は制御部１４０の制御のための制御プログラム及びアプリケーションを保存することができる。以下「保存部」という用語は、ＲＯＭ、ＲＡＭ又はディスプレイ装置１００ａに脱着／装着可能なメモリカード（例えば、ＳＤカード、メモリスティック）を含むことができる。なお、保存部は不揮発性メモリ、揮発性メモリ、ハードディスクドライブ（ＨＤＤ）又はソリッドステートドライブ（ＳＳＤ）を含むことができる。
【０１０７】
保存部１１０はメッセージの種類別に相違に設定された複数のテンプレートが保存される。そして、保存部１１０はディスプレイ装置１００ａで通話が行われると、サーバ４００に伝送する通話内訳を保存することもできる。
【０１０８】
検出部１２０は互いに異なる複数の状態情報を検出することができる。検出部１２０はＧＰＳモジュール１５５、車両の電子制御装置３００又はサーバ４００から色々な情報を受信して状態情報を検出することができる。
【０１０９】
ディスプレイ部１３０は、制御部１４０の制御によってマルチメディアコンテンツ、イメージ、動画、テキストなどを表示する。ディスプレイ部１３０はタッチ入力機能のない一般的なディスプレイパネルで実現されてもよく、近接センサやタッチセンサを用いたユーザ操作を認識することのできるタッチディスプレイパネルで実現されてもよい。タッチディスプレイパネルで実現される場合、ユーザの身体（例えば、親指を含む指）又は検知可能な入力手段（例えば、スタイラスペン）を通して少なくとも一つのタッチジェスチャーを入力してもらうことができる。
【０１１０】
このようなユーザインターフェースは、所定タッチ領域、ソフトキー及びソフトメニューを含むことができる。ディスプレイ部１３０はユーザインターフェースを通して入力される少なくとも一つのタッチジェスチャーに対応する電子信号をＬＣＤコントローラ（不図示）を通してディスプレイ部１３０に伝送することができる。なお、ディスプレイ部１３０はタッチの連続的な動きを検知し、タッチの連続的或いは不連続的な動きに対応する電子信号をＬＣＤコントローラに伝送することができる。
【０１１１】
このようなディスプレイ部１３０は、例えば、抵抗膜（ｒｅｓｉｓｔｉｖｅ）方式、静電容量（ｃａｐａｃｉｔｉｖｅ）方式、赤外線（ｉｎｆｒａｒｅｄ）方式又は超音波（ａｃｏｕｓｔｉｃ  ｗａｖｅ）方式で実現されることができる。
【０１１２】
ディスプレイ部１３０はタッチセンサを通して検知されたユーザ動作に関する検知信号をデジタル信号（例えば、ＸとＹ座標）に変換して制御部１４０に伝送する。制御部１４０は受信されたデジタル信号を利用してディスプレイ部１３０を通して入力されたユーザ動作に対応する制御動作を行うことができる。例えば、制御部１４０はユーザ動作に応答してディスプレイ部１３０に表示されたソフトキーが選択されるようにするか又はソフトキーに対応するアプリケーションを実行することができる。
【０１１３】
上述したユーザジェスチャーはディスプレイ部１３０とユーザの身体又はタッチ可能な入力手段との直接的な接触（ｃｏｎｔａｃｔ）に限定されず、非接触による方式も含む。ディスプレイ部１３０で検出可能なユーザ動作の感度はディスプレイ装置１００ａの性能又は構造によって変更されてもよい。
【０１１４】
制御部１４０は、ＣＰＵと、ディスプレイ装置１００ａの制御のための制御プログラムの保存されたＲＯＭ（Ｒｅａｄ−Ｏｎｌｙ  Ｍｅｍｏｒｙ）及びディスプレイ装置１００ａの外部から入力される信号又はデータを記憶したり、ディスプレイ装置１００ａで行われる作業のための記憶領域として使用されるＲＡＭ（Ｒａｎｄｏｍ  Ａｃｃｅｓｓ  Ｍｅｍｏｒｙ）を含む。ＣＰＵはシングルコアプロセッサ、デュアルコアプロセッサ、トリプルコアプロセッサ及びクアッドコアプロセッサのうち少なくとも一つを含むことができる。ＣＰＵ、ＲＯＭ及びＲＡＭは内部バス（Ｂｕｓ）を通して相互接続される。
【０１１５】
制御部１４０は、保存部１１０、検出部１２０、ディスプレイ部１３０、通信部１５０、マルチメディア部１６０、撮像部１７０、センサ部１８０を制御する。
【０１１６】
通信部１５０は、セルラー通信モジュール１５１、無線ＬＡＮモジュール１５２、近距離通信モジュール１５３、コネクタ１５４、ＧＰＳモジュール１５５及び放送通信モジュール１５６を含む。
【０１１７】
セルラー通信モジュール１５１は制御部１４０の制御に従ってセルラー通信プロトコルに従う無線アクセス技術を使用して、ディスプレイ装置１００ａが少なくとも一つ又は複数のアンテナ（不図示）を通して外部装置（特に、セルラーシステムの基地局）と接続されるようにする。
【０１１８】
なお、セルラー通信モジュール１５１は、ディスプレイ装置１００ａに入力される電話番号を有する携帯、スマートフォン、タブレットＰＣ又は他の装置のような通信可能な他の機器と、音声通話、画像通話、ショートメッセージ（Ｓｈｏｒｔ  Ｍｅｓｓａｇｉｎｇ  Ｓｅｒｖｉｃｅ：ＳＭＳ）又はマルチメディアメッセージ（Ｍｕｌｔｉｍｅｄｉａ  Ｍｅｓｓａｇｉｎｇ  Ｓｅｒｖｉｃｅ：ＭＭＳ）を含む無線信号を送受信する。
【０１１９】
無線ＬＡＮモジュール１５２は制御部１４０の制御に従って無線ＡＰ（ａｃｃｅｓｓ  ｐｏｉｎｔ）（不図示）が設置された場所でインターネットに接続されることができる。無線ＬＡＮモジュール１５２は米国電気電子学会（ＩＥＥＥ）の無線ＬＡＮ規格（ＩＥＥＥ８０２.１１ｘ）を支援する。
【０１２０】
近距離通信モジュール１５３は制御部１４０の制御に従ってディスプレイ装置１００ａと外部機器との間に無線で近距離通信を行うことができる。近距離通信方式は、ブルートゥース、赤外線通信（ＩｒＤＡ）、ＮＦＣなどを含むことができる。
【０１２１】
コネクタ１５４は、ＵＳＢ２.０、ＵＳＢ３.０、ＨＤＭＩ（登録商標）、ＩＥＥＥ１３９４など多様な装置とのインターフェースを提供する。コネクタ１５４はディスプレイ装置１００ａと外部装置又は電源ソースを接続するためのインターフェースとして利用されることもできる。制御部１４０の制御に従ってコネクタ１５４に接続された有線ケーブルを通してディスプレイ装置１００ａの保存部１１０に保存されたデータを外部装置に伝送するか又は外部装置からデータを受信することができる。コネクタ１５４に接続された有線ケーブルを通して電源ソースから電源が入力されるかバッテリ（不図示）を充電することができる。
【０１２２】
ＧＰＳモジュール１５５は地球軌道上にある複数のＧＰＳ衛星（不図示）から電波を受信し、ＧＰＳ衛星（不図示）からディスプレイ装置１００ａまでの電波到達時間（Ｔｉｍｅ  ｏｆ  Ａｒｒｉｖａｌ）及びＧＰＳパラメータを用いてディスプレイ装置１００ａの位置を算出することができる。
【０１２３】
放送通信モジュール１５６は制御部１４０の制御に従って放送通信アンテナ（不図示）を通して放送局から送出される放送信号（例えば、ＴＶ放送信号、ラジオ放送信号又はデータ放送信号）及び放送付加情報（例えば、ＥＰＧ（Ｅｌｅｃｔｒｉｃ  Ｐｒｏｇｒａｍ  Ｇｕｉｄｅ）又はＥＳＧ（Ｅｌｅｃｔｒｉｃ  Ｓｅｒｖｉｃｅ  Ｇｕｉｄｅ）を受信することができる。
【０１２４】
マルチメディア部１６０はオーディオ再生モジュール１６１及びビデオ再生モジュール１６２を含む。オーディオ再生モジュール１６１は制御部１４０の制御に従って保存されるか又は受信されるデジタルオーディオファイル（例えば、ファイル拡張子がｍｐ３、ｗｍａ、ｏｇｇ又はｗａｖであるファイル）を再生することができる。ビデオ再生モジュール１６２はデジタルビデオファイルを再生することができるように多様な形式のコデックをサポートする。即ち、再生しようとするビデオファイルのコデック形式に合うように予め保存されたコデックによってビデオファイルを再生する。なお、マルチメディア部１６０のオーディオ再生モジュール１６１又はビデオ再生モジュール１６２は制御部１４０に含まれてもよい。
【０１２５】
撮像部１７０は、制御部１４０の制御に従って停止イメージ又は動画を撮影する。撮像部１７０は複数のカメラを含むことができる。撮像部１７０は撮影に必要な光量を提供する補助光源（例えば、フラッシュ（不図示））を含むことができる。
【０１２６】
撮像部１７０は撮像されたイメージを制御部１４０に伝達する。制御部１４０はイメージを分析してユーザの動き或いは形状を検知（ｄｅｔｅｃｔ）し、検知された動き或いは形状に対応する制御動作を行うことができる。一例として、ユーザの動きとは、撮像部１７０を通して検知されるユーザの指の動きを意味する。ユーザの形状とは撮像部１７０を通して検知されるユーザの顔形状を意味する。
【０１２７】
他の実施形態としてディスプレイ装置１００ａは赤外線検知器のような他の手段を用いてユーザの動きを検知し、前記動きに応答してアプリケーションを実行又は制御することができる。
【０１２８】
なお、撮像部１７０はディスプレイ装置１００ａと別途で構成されてもよい。例えば、ディスプレイ装置１００ａは車両の内部に装着されており、撮像部１７０は車両外部（例えば、前面、後面）に装着されてもよい。ディスプレイ装置１００ａと撮像部１７０は有無線で接続され撮像部１７０で撮像された車両前面又は後面の映像がディスプレイ装置１００ａでディスプレイされることができる。
【０１２９】
センサ部１８０はタッチセンサ１８１、地磁気センサ１８２、加速度センサ１８３、及び近接センサ１８４のうち少なくとも一つを含むことができる。
【０１３０】
タッチセンサ１８１はユーザのディスプレイ部１３０に対するタッチを検知することができるセンサである。タッチセンサ１８１はユーザのタッチを検知する方式によって静電方式と圧電方式に分けることができる。本願発明の一実施形態にかかるタッチセンサ１８１は二つの方式にそれぞれ実現されることができる。タッチセンサ１８１はディスプレイパネルと共にディスプレイ部を構成することができる。
【０１３１】
タッチセンサ１８１は指のような身体又は検知可能な入力手段でタッチスクリーンを押してディスプレイ画面上に表示された指示を入力することができるセンサを意味する。タッチセンサ１８１は、容量変化、抵抗変化、又は光量変化を利用する。
【０１３２】
地磁気センサ１８２は、地磁気を検出して方位角を探知することができる。従って、ディスプレイ装置１００ａの方向を認識する。加速度センサ１８３は出力信号を処理して物体の加速度、振動、衝撃などの動的な力を測定するもので、ディスプレイ装置１００ａが動く速度変化や力の強さを検知する。近接センサ１８４は、ユーザのディスプレイ装置１００ａに対する物体が接近したか否かを検出することができる。
【０１３３】
図１４では示されていないが、ディスプレイ装置１００ａのセンサ部１８０は、重力がどの方向に作用するかを検出することができる重力センサ、既存の加速度センサにそれぞれ回転を入れて全部６軸を認識することができるジャイロセンサ、イメージのようなコンテンツの横、縦フレームを自動で検知してコンテンツを自動回転及び整列させることができるオリエンテーションセンサ、ディスプレイ装置１００ａ周辺の光の量を検出する照度センサ、大気の圧力を測定することができる高度測定センサ、物体の色を検出することができるＲＧＢセンサ、超音波や赤外線を利用して距離を測定することができる距離測定センサ、磁気場の大きさによる電圧変化を利用するホールセンサのうち少なくとも一つを更に含むことができる。
【０１３４】
センサ部１８０の各センサは状態を検出し、検出に対応する信号を生成して制御部１４０に伝送することができる。センサ部１８０のセンサはディスプレイ装置１００ａの性能によって追加又は削除されてもよい。
【０１３５】
入／出力部１９０は、ボタン部１９１、マイク１９２、スピーカ１９３及び振動モータ１９４を含む。
【０１３６】
少なくとも一つのボタン部１９１はディスプレイ装置１００ａのボディの前面、側面又は後面にプッシュ型或いはタッチ型で形成されることができ、電源／ロックボタン、ボリューム調節ボタン、メニューボタン、ホームボタン、戻るボタン（ｂａｃｋ  ｂｕｔｔｏｎ）及び検索ボタンのうち少なくとも一つを含むことができる。
【０１３７】
マイク１９２は制御部１４０の制御に従って音声（ｖｏｉｃｅ）又はサウンド（ｓｏｕｎｄ）を入力してもらって電気的な信号を生成する。
【０１３８】
スピーカ１９３は制御部１４０の制御に従ってセルラー通信モジュール１５１、無線ＬＡＮモジュール１５２、近距離通信モジュール１５３、マルチメディア部１６０又は撮像部１７０の多様な信号（例えば、無線信号、放送信号、デジタルオーディオファイル、デジタル動画ファイル又は写真撮影など）に対応するサウンドをディスプレイ装置１００ａの外部に出力することができる。
【０１３９】
スピーカ１９３はディスプレイ装置１００ａが行う機能に対応するサウンド（例えば、電話通話に対応するボタン操作音、又は通話接続音）を出力することができる。スピーカ１９３はディスプレイ装置１００ａのボディの適切な位置又は複数の位置に一つ又は複数で形成されてよい。一例として、スピーカ１９３は通話中にユーザの耳に近接する適合な位置に配置される内部スピーカモジュールと、オーディオ／ビデオファイルの再生や放送の視聴時に使用することに適合なより高い出力を有しディスプレイ装置１００ａのボディの適切な位置に配置される外部スピーカモジュール２０を含んで構成されることができる。
【０１４０】
振動モータ１９４は制御部１４０の制御に従って電気的信号を機械的振動に変換することができる。例えば、振動モードにあるディスプレイ装置１００ａは他の装置（不図示）から音声通話が受信される場合、振動モータ１９４が動作する。振動モータ１９４はディスプレイ装置１００ａのボディ内に一つ又は複数で形成されてよい。振動モータ１９４はディスプレイ部１３０上で検知されるユーザのタッチジェスチャー及びディスプレイ部１３０上で検知されるタッチの連続的な動きに応答して動作することができる。
【０１４１】
電源部（不図示）はディスプレイ装置１００ａで使用される電源を供給する。電源部は充電可能なバッテリで実現されてよく、外部供給電源を変換して充電可能なバッテリに供給する電圧変換器を更に含むことができる。
【０１４２】
電源部は制御部１４０の電源管理制御に従ってディスプレイ装置１００ａに最大性能モード、一般モード、節電モード、待機モードなど多様なモードに電源を供給することができる。
【０１４３】
ディスプレイ装置１００ａは通話内訳とディスプレイ装置１００ａの位置情報をサーバ４００に伝送し通話内訳及び位置情報に関連する多様な情報を受信することができる。上述したディスプレイ装置１００ａの各構成部は必ずすべて含まれるべきではなく、実施形態によって一部構成のみが含まれてもよい。
【０１４４】
図１５は、本発明の一実施形態にかかる広告サービス提供方法を説明するタイミング図である。
【０１４５】
図１５を参照すると、モバイルデバイス２００は通信相手機器からかけられてきた通話信号を受信する。モバイルデバイス２００は受信された通話内容をディスプレイ装置１００に伝送する（Ｓ１５０５）。なお、モバイルデバイス２００は通話内容及び位置情報をサーバ４００に伝送する（Ｓ１５１０）。モバイルデバイス２００で位置情報はＧＰＳモジュールを通して受信することができる。又は、ディスプレイ装置１００から受信して伝送することもできる。サーバ４００に伝送される通話内訳及び位置情報は暗号化して伝送されることができる。
【０１４６】
サーバ４００は通話内容から通話キーワードを抽出する（Ｓ１５１５）。通話キーワードは通話内容上の主要単語又は繰り返される単語を意味する。サーバ４００は抽出された通話キーワード及び受信した位置情報から広告情報を検索する（Ｓ１５２０）。通話キーワードは優先順位が付与されることができ、予め設定された優先順位の通話キーワードのみが検索に利用されることができる。
【０１４７】
サーバ４００は検索された広告情報をモバイルデバイス２００に伝送することができる（Ｓ１５２５）。モバイルデバイス２００は受信した広告情報をディスプレイすることができる（Ｓ１５３０）。又は、サーバ４００はモバイルデバイス２００と予め設定された領域以内の存在する外部ディスプレイ装置５００に検索された広告情報を伝送することができる（Ｓ１５３５）。外部ディスプレイ装置５００は受信した広告情報をディスプレイすることができる（Ｓ１５４０）。サーバ４００はモバイルデバイス２００又は外部ディスプレイ装置５００のうち一つの装置に検索された広告情報を伝送することができ、モバイルデバイス２００及び外部ディスプレイ装置５００すべてに検索された広告情報を伝送することもできる。
【０１４８】
モバイルデバイス２００はディスプレイ装置１００にサーバ４００から受信した広告情報を伝送することができる（Ｓ１５４５）。モバイルデバイス２００とディスプレイ装置１００は有線または無線で接続されることができる。無線接続の場合、ブルートゥース、Ｗｉ-Ｆｉなどを利用して接続されることができる。ディスプレイ装置１００は受信した広告情報をディスプレイする（Ｓ１５５０）。
【０１４９】
図１５においては広告情報を例にとって説明した。しかし、受信される付加情報として広告情報は一実施例であり、マルチメディアコンテンツ、映画情報、スポーツハイライト情報などになってもよい。なお、一つのサーバ４００が位置情報と通話内訳を受信して通話キーワードを抽出して広告情報を検索するものと説明した。しかし、サーバ４００は通話キーワードを抽出した後に抽出された通話キーワード及び位置情報を他のサーバに伝送して他のサーバが広告情報を検索することも可能である。
【０１５０】
図１６は、本発明の他の実施形態にかかる広告サービス提供方法を説明するタイミング図である。図１６はモバイルデバイスでキーワードを抽出する実施形態である。
【０１５１】
図１６を参照すると、モバイルデバイス２００は通信相手機器からかけられてきた通話信号を受信する。モバイルデバイス２００は受信された通話内容をディスプレイ装置１００に伝送する（Ｓ１６０５）。モバイルデバイス２００は通話内容からキーワードを抽出する（Ｓ１６１０）。具体的に過程は図１５で説明したものと同一である。しかし、キーワードの抽出がモバイルデバイス２００で行われる。モバイルデバイス２００でキーワードを抽出するとき、ユーザは特定キーワードに対してのみ抽出するように設定することもできる。例えば、キーワードの抽出設定は人名と地名に対するキーワードのみ抽出するように設定されることができ、広告情報のみ抽出するように設定されることができる。又は、特定のキーワードではなく全体キーワードに対して抽出するように設定されることもできる。
【０１５２】
モバイルデバイス２００は抽出されたキーワード及び位置情報をサーバ４００に伝送する（Ｓ１６１５）。モバイルデバイス２００で位置情報はＧＰＳモジュールを通して受信することができる。又は、ディスプレイ装置１００から受信して伝送することもできる。
【０１５３】
サーバ４００は抽出された通話キーワード及び受信した位置情報から広告情報を検索する（Ｓ１６２０）。この時、サーバは単に検索のみを行う検索サーバでもよい。サーバ４００は検索された広告情報をモバイルデバイス２００に伝送することができる（Ｓ１６２５）。モバイルデバイス２００は受信した広告情報をディスプレイすることができる（Ｓ１６３０）。又は、サーバ４００はモバイルデバイス２００と予め設定された領域以内に存在する外部ディスプレイ装置５００に検索された広告情報を伝送することができる（Ｓ１６３５。外部ディスプレイ装置５００は受信した広告情報をディスプレイすることができる（Ｓ１６４０）。サーバ４００はモバイルデバイス２００又は外部ディスプレイ装置５００のうち一つの装置に検索された広告情報を伝送することができ、モバイルデバイス２００及び外部ディスプレイ装置５００すべてに検索された広告情報を伝送することもできる。
【０１５４】
モバイルデバイス２００はディスプレイ装置１００にサーバ４００から受信した広告情報を伝送することができる（Ｓ１６４５）。モバイルデバイス２００とディスプレイ装置１００は有無線で接続されることができる。無線接続の場合、ブルートゥース、Ｗｉ-Ｆｉなどを利用して接続されることができる。ディスプレイ装置１００は受信した広告情報をディスプレイする（Ｓ１６５０）。
【０１５５】
図１７は、本発明の一実施形態にかかるモバイルデバイス及びディスプレイ装置を車両と接続して使用する実施形態に対する図である。
【０１５６】
図１７では、車両内でディスプレイ装置１００、モバイルデバイス２００が無線通信方式で接続された状態を示す。ディスプレイ装置１００と通信装置２００は有線で接続されてもよい。図１７においてはディスプレイ装置１００が車両に内蔵された形態である場合を示したが、ディスプレイ装置１００は独立的に存在して車両に脱着されてもよい。なお、図１７では示していないが、ディスプレイ装置１００は車両の電子制御装置と接続されることができる。
【０１５７】
図１７のように、ディスプレイ装置１００とモバイルデバイス２００とが接続されると、モバイルデバイス２００は受信した通話、メッセージ又はデータをディスプレイ装置に伝送する。電子制御装置（不図示）はディスプレイ装置１００と接続されると、車両に関する情報をディスプレイ装置１００に伝送する。ディスプレイ装置１００はモバイルデバイス２００又は電子制御装置から受信した各種データをディスプレイすることができる。
【０１５８】
ディスプレイ装置１００、モバイルデバイス２００又は電子制御装置は自分に備えられたＧＰＳチップを利用して車両の位置を把握する。即ち、ディスプレイ装置１００の位置情報、モバイルデバイス２００の位置情報又は電子制御装置の位置情報はまさに車両の位置であると見なすことができる。
【０１５９】
サーバで検索された付加情報はモバイルデバイス２００を通してディスプレイ装置１００に伝送されることができる。ディスプレイ装置１００は受信された付加情報をディスプレイする。例えば、サーバ４００で映画ＱＱＱに対する広告情報が検索されたとしたら、映画ＱＱＱの広告情報はモバイルデバイス２００に伝送された後、ディスプレイ装置１００に伝送される。ディスプレイ装置は映画ＱＱＱの広告情報をディスプレイする。
【０１６０】
図１７では運転者が所有する一つのモバイルデバイス２００とディスプレイ装置１００とが接続された例を示したが、複数の乗客がそれぞれモバイルデバイスを所有した場合、ディスプレイ装置１００は近距離無線通信方式を用いて車両内の複数のモバイルデバイスをディスプレイ装置１００と接続することができる。この時、ディスプレイ装置１００が広告情報を受信する場合、ディスプレイ装置１００は上述した複数のモバイルデバイスに広告情報を伝送することができる。
【０１６１】
上述したように広告情報のような付加情報は外部ディスプレイ装置５００にも伝送されることができる。
【０１６２】
図１８は、本発明の一実施形態にかかる複数の端末装置が含まれたサービス提供方法を説明する図である。
【０１６３】
図１８の（１）によると、一つの外部ディスプレイ装置５００近所に５人のユーザが存在する。ユーザの位置情報は受信されたＧＰＳ情報を用いて検索されることができる。一般的にユーザはモバイルデバイス２００を携帯しているため、モバイルデバイス２００の位置情報はユーザの位置情報と同一であると考える。
【０１６４】
図１８の（２）によると、複数のユーザがそれぞれ互いに異なる相手と通話をすると、複数ユーザの通話内訳と位置情報はサーバ４００で受信される。サーバ４００は受信された位置情報を基準に同一な外部ディスプレイ装置５００を共有するユーザをグルーピングする。サーバ４００はグルーピングされたユーザの通話内訳から通話キーワードを抽出する。サーバ４００はユーザ別に優先順位通話キーワードを抽出することができる。この場合、ユーザ別の別個の広告情報が検索されることができる。又は、サーバ４００は全体ユーザの通話内訳を一つに考えて複数ユーザの通話内訳で優先順位通話キーワードを抽出することもできる。この場合、ユーザ一人の通話内訳に関連した複数個の広告情報が検索されることができる。
【０１６５】
サーバ４００は検索された広告情報を各ユーザのモバイルデバイス２００−１、２００−２、２００−３、２００−４、２００−５に伝送することができ、複数のユーザ近所の外部ディスプレイ装置５００に複数の広告情報を伝送することができる。
【０１６６】
広告情報は伝送順序が最も高い優先順位を有する通話キーワードに関連した広告情報順に伝送することができ、通話が一番早く終わったユーザの端末装置順に伝送することもできる。
【０１６７】
いままで、モバイルデバイス２００で現在状態情報を検出して簡便にメッセージを伝送する過程と通話内訳及び位置情報をサーバ４００に伝送して通話キーワード及び位置情報に関連した広告情報を受信する過程について説明した。一方、モバイルデバイス２００はディスプレイ装置１００と接続され、ディスプレイ装置１００は車両内の電子制御装置（不図示）と接続されることができる。ディスプレイ装置１００と電子制御装置の接続はＣＡＮ（Ｃｏｎｔｒｏｌｌｅｒ  Ａｒｅａ  Ｎｅｔｗｏｒｋ）方式で接続されることができる。
【０１６８】
図１９は、本発明の一実施形態にかかるＣＡＮ（Ｃｏｎｔｒｏｌｌｅｒ  Ａｒｅａ  Ｎｅｔｗｏｒｋ）のデータフレームフォーマットを示す図である。
【０１６９】
ＣＡＮは、自動車の各種の計測制御装備間にデジタル直列通信を提供するための車両用ネットワークシステムを意味する。車両内電子部品の複雑な電気配線とリレーを直列通信線で代替して知能化することで重量感と複雑性を減らすことができる。なお、電磁的干渉によって生じる異常有無を診断することができる。
【０１７０】
ＣＡＮは電子制御装置（Ｅｌｅｃｔｒｏｎｉｃ  Ｃｏｎｔｒｏｌ  Ｕｎｉｔ）を接続するための多重マスターブロードキャスター直列バスの標準である。各ノードはメッセージを送受信することができるが、同時にメッセージを送受信することはできない。メッセージは最大８バイトのメッセージの優先順位を示すＩＤで構成されている。ＣＡＮに接続されている装置は、一般に、センサ、アクチュエータ及びその他の制御装置である。このような装置はバスに直接接続されずホストプロセッサとＣＡＮコントローラを通して接続される。
【０１７１】
ＣＡＮプロトコルは他のネットワークプロトコルのように物理的階層（ｐｈｙｓｉｃａｌ  ｌａｙｅｒ）、伝送階層（Ｔｒａｎｓｆｅｒ  ｌａｙｅｒ）、客体階層（Ｏｂｊｅｃｔ  ｌａｙｅｒ）、アプリケーション階層（Ａｐｐｌｉｃａｔｉｏｎ  ｌａｙｅｒ）で構成される。ＣＡＮは異なる二つのメッセージ（又はフレーム）フォーマットで設定されることができる。一般フレームは１１ビットの識別子をサポートし、拡張フレームは２９ビットの識別子をサポートする。
【０１７２】
図１９を参考すると、ＣＡＮデータフレームフォーマットは１ビットの開始（Ｓｔａｒｔ  ｏｆｆｒａｍｅ）フィールド１３０５、１１ビット又は２９ビットの識別子（Ｉｄｅｎｔｉｆｉｅｒ）フィールド１３１０、１ビットの遠隔伝送要請（Ｒｅｍｏｔｅ  ｔｒａｎｓｍｉｓｓｉｏｎ  ｒｅｑｕｅｓｔ：ＲＴＲ）フィールド１３１５、６ビットの制御（Ｃｏｎｔｒｏｌ）フィールド１３２０、０〜８バイトのデータフィールド１３２５、１５ビットの循環重複検査（Ｃｙｃｌｅｃ  Ｒｅｄｕｎｄａｎｃｙ  Ｃｈｅｃｋｉｎｇ：ＣＲＣ）フィールド１３３０、１ビットのＣＲＣ  ｄｅｌｉｍｉｔｅｒフィールド１３３５、１ビットのＡＣＫ  ｓｌｏｔ１３４０、１ビットのＡＣＫ  ｄｅｌｉｍｉｔｅｒフィールド１３４５、７ビットの終了（Ｅｎｄ  ｏｆ  Ｆｒａｍｅ）フィールド１３５０で構成されている。
【０１７３】
開始（Ｓｔａｒｔ  ｏｆｆｒａｍｅ）フィールド１３０５はフレーム伝送の開始を示す。識別子（Ｉｄｅｎｔｉｆｉｅｒ）フィールド１３１０はメッセージ優先順位を表現するデータのためのもので二つのノードで同時にメッセージを伝送しようとするとき、識別子フィールド１３１０の優先順位に従って順序が決められる。ＲＴＲフィールド１３１５が０であるときはデータフレームで優勢状態（Ｄｏｍｉｎａｎｔ）であり、１であるときは遠隔フレーム（Ｒｅｍｏｔｅ  Ｆｒａｍｅ）で劣勢状態（Ｒｅｃｅｓｓｉｖｅ）を意味する。遠隔フレームは受信部が伝送部にデータを要請するときに出力するフレームである。
【０１７４】
制御フィールド１３２０は１ビットの識別子拡張ビット（Ｉｄｅｎｔｉｆｉｅｒ  Ｅｘｔｅｎｓｉｏｎ  Ｂｉｔ：ＩＤＥ）フィールドと１ビットの予約ビット（Ｒｅｓｅｒｖｅｄ  Ｂｉｔ）フィールドと４ビットのデータ長のコード（Ｄａｔａ  Ｌｅｎｇｔｈ  Ｃｏｄｅ）フィールドで構成される。データフィールド１３２５は伝送しようとするデータを含む。ＣＲＣフィールド１３３０は一定区間のビットに区分してエラーをチェックする。ＡＣＫ  ｓｌｏｔ１３４０が１であると、伝送部は劣勢状態を送る。
【０１７５】
ＣＲＣ  ｄｅｌｉｍｉｔｅｒフィールド１３３５は、ＡＣＫ  ｄｅｌｉｍｉｔｅｒフィールド１３４５及び終了（Ｅｎｄ  ｏｆ  Ｆｒａｍｅ）フィールド１３５０は劣勢状態で１になければならない。
【０１７６】
以上のようにＣＡＮを用いて電子制御装置間の通信が可能であり、車両のヘッドユニット（Ｈｅａｄ  Ｕｎｉｔ：Ｈ／Ｕ）のようなディスプレイ装置１００に車両の状態情報が伝送されることができる。
【０１７７】
以下では、サービス提供方法のフローチャートについて説明する。
【０１７８】
図２０は、本発明の一実施形態にかかるディスプレイ装置のサービス提供方法のフローチャートである。
【０１７９】
ディスプレイ装置はモバイルデバイスと通信を行う（Ｓ２０１０。ディスプレイ装置はモバイルデバイスから通話信号を受信する。なお、モバイルデバイスから通話又はメッセージの発信を要請する。ディスプレイ装置とモバイルデバイスとは有無線で接続されることができる。
【０１８０】
ディスプレイ装置は通話内容に含まれたキーワードを獲得（ａｕｑｕｉｒｉｎｇ）する（Ｓ２０２０）。ディスプレイ装置は通話内容が含まれたオーディオ信号でキーワードを獲得することができ、オーディオ信号をテキストに変換した後に変換されたテキストでキーワードを獲得することができる。場合によって、ディスプレイ装置はモバイルデバイスやサーバで抽出されたキーワードを受信して獲得することもできる。
【０１８１】
ディスプレイ装置はキーワードに対応する付加情報をディスプレイする（Ｓ２０３０）。ディスプレイ装置は、保存部、モバイルデバイス及びサーバのうち少なくとも一つの装置を検索する。検索された付加情報をキーワードと共に表示する。キーワードは人名、地名、映画、時間、広告などになることができ、付加情報は電話番号、写真、住所、広告情報、マルチメディアコンテンツなどになることができる。表示された付加情報のうち一つが選択されると、ディスプレイ装置は対応するサービスを提供することができる。
【０１８２】
図２１は、本発明の一実施形態にかかるモバイルデバイスのサービス提供方法のフローチャートである。
【０１８３】
モバイルデバイスはディスプレイ装置と通信を行う（Ｓ２１１０）。モバイルデバイスは通信相手機器と通話を行う（Ｓ２１２０）。モバイルデバイスは通信相手機器からかけられてきた通話信号を受信してディスプレイ装置に伝送する。ディスプレイ装置で通話接続が選択されると、モバイルデバイスは受信された通話内容をディスプレイ装置に伝送する。
【０１８４】
モバイルデバイスは通話内容をサーバに伝送して通話内容に含まれたキーワードに対応する広告情報を受信し、広告情報をディスプレイ装置に伝送する（Ｓ２１３０）。モバイルデバイスがサーバに通話内容を伝送すると、サーバは対応する個人プロファイルに通話内容を保存することができ、通話内容からキーワードを抽出する。サーバは抽出されたキーワードを用いて関連付加情報を検索する。検索された付加情報をモバイルデバイスに伝送する。モバイルデバイスは広告情報を受信してディスプレイ装置に伝送する。
【０１８５】
上述した多様な実施形態にかかるディスプレイ装置のサービス提供方法はプログラムで実現された端末装置に提供されることができる。
【０１８６】
一例として、モバイルデバイスと通信を行うステップ、モバイルデバイスで通話が行われると、その通話内容に含まれたキーワードを獲得するステップ及びキーワードに対応する付加情報をディスプレイするステップを行うプログラムの保存された非一時的読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が提供されることができる。
【０１８７】
非一時的読み取り可能な媒体とは、レジスタ、キャッシュ、メモリなどのように短い瞬間の間にデータを保存する媒体でばく半永久的にデータを保存し、機器によって読み取り可能な媒体を意味する。具体的に、上述した多様なアプリケーション又はプログラムはＣＤ、ＤＶＤ、ハードディスク、ブルーレイディスク、ＵＳＢ、メモリカード、ＲＯＭなどのような非一時的な読み取り可能な媒体に保存されて提供されることができる。
【０１８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１８９】
１００  ディスプレイ装置
１３０  ディスプレイ部
１４０  制御部
１５０  通信部
１５１  セルラー通信モジュール
１５２  無線ＬＡＮモジュール
１５３  近距離通信モジュール
１５４  コネクタ
１５５  ＧＰＳモジュール
１５６  放送通信モジュール
１６０  マルチメディア部
１６１  オーディオ再生モジュール
１６２  ビデオ再生モジュール
１７０  撮像部
１８０  センサ部
１８１  タッチセンサ
１８２  地磁気センサ
１８３  加速度センサ
１８４  近接センサ
１９０  入／出力部
１９１  ボタン部
１９２  マイク
１９３  スピーカ
１９４  振動モータ
２００  モバイルデバイス
２００−１  第１モバイルデバイス
２００−２  第２モバイルデバイス
２１０  通信部
２２０  通話接続部
２３０  制御部    ３００  電子制御装置
４００  サーバ
４１０  通信部
４２０  制御部
１０００  サービス提供システム
２０００  システム
【図１】
0006646919.tif 000002
【図２】
0006646919.tif 000003
【図３】
0006646919.tif 000004
【図４】
0006646919.tif 000005
【図５】
0006646919.tif 000006
【図６】
0006646919.tif 000007
【図７】
0006646919.tif 000008
【図８】
0006646919.tif 000009
【図９】
0006646919.tif 000010
【図１０】
0006646919.tif 000011
【図１１】
0006646919.tif 000012
【図１２】
0006646919.tif 000013
【図１３】
0006646919.tif 000014
【図１４】
0006646919.tif 000015
【図１５】
0006646919.tif 000016
【図１６】
0006646919.tif 000017
【図１７】
0006646919.tif 000018
【図１８】
0006646919.tif 000019
【図１９】
0006646919.tif 000020
【図２０】
0006646919.tif 000021
【図２１】
0006646919.tif 000022